(57)【要約】【課題】新規の浴室ドア額縁を既存の浴室ドア開口に合わせて寸法調整可能であり、且つ止水性、外観性にも優れたリフォーム用浴室ドア額縁を提供する。【解決手段】既存の浴室ドア開口Ａの内寸と異なる外寸を有するリフォーム用浴室ドア額縁が額縁本体６とつば部品７とからなる。額縁本体６に一端が外部に開口し他端が略Ｌ字形に屈曲した嵌合溝部８が形成される。つば部品７の幅方向Ｂの一端に嵌合溝部８に嵌合する略Ｌ字形の嵌合部７ａが設けられると共に幅方向Ｂの一端側から他端側に所定間隔を隔てて既存の浴室ドア開口Ａの一方の開口縁に当接可能な複数の当接部７ｂが設けられる。つば部品７は、少なくとも１つの嵌合部７ａと当接部７ｂとを残して幅方向Ｂの任意の位置で切断可能とされる。【選択図】図１
2010077673.tif 000002
【特許請求の範囲】
【請求項１】
既存の浴室ドア開口の内寸と異なる外寸を有するリフォーム用浴室ドア額縁であって、額縁本体と、一端が額縁本体の略全長に亘って嵌合し他端が浴室ドア開口の一方の開口縁の略全長に亘って当接可能なつば部品とからなり、上記額縁本体には、その略全長に亘って一端が額縁本体外部に開口し他端が略Ｌ字形に屈曲した嵌合溝部が形成され、上記つば部品の幅方向の一端に上記額縁本体の嵌合溝部に嵌合する略Ｌ字形の嵌合部が設けられると共に幅方向の一端側から他端側に所定間隔を隔てて既存の浴室ドア開口縁の一方の開口縁に当接可能な複数の当接部が設けられ、上記つば部品は、少なくとも１つの嵌合部と当接部とを残して幅方向の任意の位置で切断可能とされることを特徴とするリフォーム用浴室ドア額縁。
【発明の詳細な説明】
【技術分野】
【０００１】
本発明は、リフォーム用浴室ドア額縁の構造に関し、詳しくは新規の浴室ドア額縁を既存の浴室ドア開口に合わせて寸法調整可能とする技術に関するものである。
【背景技術】
【０００２】
従来、既存のドアを新規のドアにリフォームする際に、躯体開口と新規ドアとの隙間を目隠しカバーで覆うようにした構造が一般に知られている。（例えば、特許文献１、特許文献２参照）。
【０００３】
ところで、浴室のリフォームに際して、新規の浴室ドア１に変更する場合は、図３に示すように、既存の浴室ドア開口Ａの内寸と新規の浴室ドア額縁２の外寸とが合わないことが多く、そのため浴室ドア額縁２の一端と浴室壁４との間に隙間Ｓ１が生じ、浴室ドア額縁２の他端と躯体壁５との間に隙間Ｓ２が生じる。これらの隙間Ｓ１、Ｓ２を仮りに従来のリフォーム用目隠しカバーで覆った場合には十分な止水性が確保できず、止水性を要求される浴室ドア１には従来のリフォーム用目隠しカバーは不適であった。
【０００４】
そこで、従来は図４に示すように、新規の浴室ドア額縁２の外寸に合わせて、浴室壁４を壊して作り直し、さらに躯体壁５から新たな壁部５ａを構築することで新規の浴室ドア開口Ａ’（＜Ａ）を形成していた。そのために大掛かりな大工工事が必要となり、改修費用が高くつくという問題があった。
【特許文献１】特開２００４−２０４４９６号公報
【特許文献２】特開２００６−１７７１２３号公報
【発明の開示】
【発明が解決しようとする課題】
【０００５】
本発明は上記の従来の問題点に鑑みて発明したものであって、新規の浴室ドア額縁を既存の浴室ドア開口に合わせて寸法調整可能とすることができ、既存の浴室ドア開口に対応でき、且つ止水性、外観性にも優れたリフォーム用浴室ドア額縁を提供することを課題とするものである。
【課題を解決するための手段】
【０００６】
前記の課題を解決するために、本発明は、既存の浴室ドア開口Ａの内寸と異なる外寸を有するリフォーム用浴室ドア額縁であって、額縁本体６と、一端が額縁本体６の略全長に亘って嵌合し他端が浴室ドア開口Ａの一方の開口縁の略全長に亘って当接可能なつば部品７とからなり、上記額縁本体６には、その略全長に亘って一端が額縁本体６外部に開口し他端が略Ｌ字形に屈曲した嵌合溝部８が形成され、上記つば部品７の幅方向Ｂの一端に上記額縁本体６の嵌合溝部８に嵌合する略Ｌ字形の嵌合部７ａが設けられると共に幅方向Ｂの一端側から他端側に所定間隔を隔てて既存の浴室ドア開口Ａの一方の開口縁に当接可能な複数の当接部７ｂが設けられ、上記つば部品７は、少なくとも１つの嵌合部７ａと当接部７ｂとを残して幅方向Ｂの任意の位置で切断可能とされることを特徴としている。
【０００７】
このような構成とすることで、浴室リフォーム時には、つば部品７を切断して嵌合部７ａを額縁本体６の嵌合溝部８に嵌合させた状態で、額縁本体６から外方に突出する当接部７ｂを開口縁に当接させることにより、額縁本体６と開口縁間の隙間をつば部品７にて止水性と外観性とが共に良好な状態で遮蔽できるようになり、これにより、既存の浴室ドア開口Ａを改修することなく、新規の浴室ドア額縁２の取り付けが可能となる。しかも、額縁本体６に対するつば部品７の取り付けは、釘やビス止めが不要な嵌合構造であるので、つば部品７の取り付け作業も楽に行なえるようになる。
【発明の効果】
【０００８】
本発明は、つば部品の切断によって新規の浴室ドア額縁を既存の浴室ドア開口に合わせて寸法調整可能となると共に止水性と外観性とが共に良好となるので、既存の浴室ドア開口に新規の浴室ドア額縁の取り付けが可能となり、結果、従来のように新規の浴室ドア開口を作り直す必要がなく、大掛かりな大工工事が不要となるため、工事の手間及びコスト削減が図れ、結果、既存の浴室の解体から新規ドアの施工までの工期短縮、省施工化を図ることができる。
【発明を実施するための最良の形態】
【０００９】
以下、本発明を添付図面に示す実施形態に基いて説明する。
【００１０】
本実施形態の新規の浴室ドア１は、折戸或いは引戸からなる浴室ドア本体３と、既存の浴室ドア開口Ａに取り付けられると共に既存の浴室ドア開口Ａの内寸と異なる外寸を有する浴室ドア額縁２とで構成される。
【００１１】
図１は、浴室ドア額縁２の左右の縦額縁２Ａ,２Ｂが、額縁本体６と、額縁本体６に取り付けられるつば部品７とからなる場合の一例を示している。
【００１２】
上記額縁本体６の浴室１４側の後端部には、ドア本体３の端部にビス１７で固定される固定部１６が設けられ、額縁本体６の洗い場１５側の前端部には平面視Ｌ字形に屈曲する屈曲部９が額縁本体６の略全長に亘って設けられている。この屈曲部９内にはつば部品７の一端部が嵌合可能な嵌合溝部８が額縁本体６の略全長に亘って形成されている。嵌合溝部８は、一端が屈曲部９の先端面に開口し、他端が屈曲部９の屈曲形状に合わせてＬ字形に屈曲している。
【００１３】
つば部品７は、図２に示すように、一方の額縁本体６に取り付けられるつば部品７と、他方の額縁本体６に取り付けられるつば部品７とを備えている。これらつば部品７は同じ形状をしており、材質は特に問わない。
【００１４】
つば部品７は、複数のリブ部１０が裏面から突設された化粧板部１８で構成される。化粧板部１８の縦方向（図１、図２の紙面に対して垂直方向）の長さは、額縁本体６の長さ方向（図１、図２の紙面に対して垂直方向）と同一寸法とされ、且つ、幅方向Ｂの寸法Ｃは、浴室ドア額縁２と浴室壁４との隙間Ｓ１（図３）或いは浴室ドア額縁２と躯体壁５との隙間Ｓ２（図３）よりも幅広に形成されている。
【００１５】
化粧板部１８の裏面から突設する複数のリブ部１０は、図２に示すように、化粧板部１８の幅方向Ｂの両端に位置する端部リブ１１,１１ａと、幅方向Ｂの両端間に位置する複数の中間リブ１２とからなり、これら端部リブ１１,１１ａ及び中間リブ１２は互いに平行に且つ化粧板部１８の裏面と直交する方向に突出している。ここでは、端部リブ１１と中間リブ１２が同じ厚みとされ、端部リブ１１ａが、端部リブ１１と中間リブ１２よりも、肉厚に形成されている。さらに、端部リブ１１とこれに隣接する中間リブ１２との間隔Ｎ、端部リブ１１ａとこれに隣接する中間リブ１２との間隔Ｎ、隣接する中間リブ１２,１２間の間隔Ｎは、いずれも、嵌合溝部８の深さＭよりも長く形成されており、後述のように端部リブ１１又は中間リブ１２のいずれか１つが嵌合溝部８に嵌合した状態では他のすべてのリブ１１ａ、１２等が嵌合溝部８の外部に位置するように構成されている。
【００１６】
化粧板部１８は、上記中間リブ１２,１２間の幅方向Ｂの任意の位置で切断可能とされる。ここでは、図２において切断された化粧板部１８’は、端部リブ１１ａと１又は複数の中間リブ１２とを備えたものとなり、後述のように最も端に位置する中間リブ１２部分が一方の額縁本体６の嵌合溝部８に嵌合する嵌合部７ａとなり、他のリブ１１ａ、１２がそれぞれ当該額縁本体６外部に配置されると共に端部リブ１１ａが一方の開口縁である浴室壁４の前面に当接する当接部７ｂとなる。また切断された化粧板部１８”は、端部リブ１１と１つの中間リブ１２とを備えたものとなり、端部リブ１１部分が他方の額縁本体６の嵌合溝部８に嵌合する嵌合部７ａとなり、中間リブ１２が当該額縁本体６外部に配置されると共にこの中間リブ１２から突出する切断面Ｄ’が他方の開口縁である躯体壁５に当接する当接部７ｂとなる。
【００１７】
次に、上記つば部品７を用いたリフォーム工事の一例を説明する。
【００１８】
先ず、既設のドアを取り外した後の浴室ドア開口Ａの躯体壁５側に支持桟１３を取り付けた状態で、浴室ドア開口Ａ内に新規の浴室ドア額縁２を配設する。このとき、予め切断したつば部品７を用いて、浴室壁４と新規の浴室ドア額縁２の一端との隙間Ｓ１、及び、躯体壁５と新規の浴室ドア額縁２の他端との隙間Ｓ２をそれぞれ遮蔽する。
【００１９】
ここで、一方の縦額縁２Ａの額縁本体６に取り付けられる一方のつば部品７を図２のＤ位置で切断すると、切断された化粧板部１８’は、１つの肉厚の端部リブ１１ａ（当接部７ｂ）と２つの中間リブ１２（最も外側の中間リブ１２が嵌合部７ａ）とを備えたものとなる。そして最も外側の中間リブ１２を額縁本体６の嵌合溝部８に嵌合させた状態で、肉厚の端部リブ１１ａを浴室壁４の前面（図１）に当接させた状態とする。
【００２０】
同様にして、他方の縦額縁２Ｂの額縁本体６に取り付けられる他方のつば部品７を図２のＤ’位置で切断すると、切断された化粧板部１８”は、１つの端部リブ１１（嵌合部７ａ）と、中間リブ１２と、化粧板部１８”の切断面Ｄ’（当接部７ｂ）とを備えたものとなる。そして、端部リブ１１を額縁本体６の嵌合溝部８に嵌合させた状態で、中間リブ１２を支持桟１３前面に当接させ且つ化粧板部１８”の切断面Ｄ’を躯体壁５に当接させた状態とする。
【００２１】
しかして、浴室リフォームを行なう時は、上記のように既存の浴室ドア開口Ａを改修することなく、新規の浴室ドア額縁２の取り付けが可能となると共に、左右のつば部品７によって隙間Ｓ１、Ｓ２をそれぞれ止水性と外観性とが共に良好な状態で遮蔽できる。従って、従来のように新規の浴室ドア開口を作り直す必要がなく、大掛かりな大工工事が不要となるため、工事の手間及びコスト削減が図れ、結果、既存の浴室の解体から新規ドアの施工までの工期短縮、省施工化を図ることができる。
【００２２】
しかも、躯体壁５に支持桟１３を取り付けるだけでよく、そのうえ額縁本体６に対するつば部品７の取り付けは、釘やビス止めが不要な嵌合構造であるので、つば部品７の取り付け作業も楽に行なうことができる。
【００２３】
また、浴室壁４の前面に当接する中間リブ１２を備えた一方のつば部品７において、当該中間リブ１２の位置は浴室壁４の前面のどの箇所でもよいため、この一方のつば部品７の切断位置（Ｄ）は大略でよい。また躯体壁５に当接する他方のつば部品７の切断においても、化粧板部１８”の切断面（Ｄ’）が躯体壁５に当接するように切断すればよいので、他方のつば部品７の切断作業も容易である。結果、つば部品７の切断作業がはかどる利点がある。
【００２４】
しかも、上記つば部品７の端部が嵌合する額縁本体６の嵌合溝部８はＬ字状に屈曲しており、この嵌合溝部８につば部品７の端部リブ１１又は中間リブ１２のいずれかを嵌合させるだけで、つば部品７を額縁本体６に対して確実な抜け止め状態で取り付けることができる利点もある。
【００２５】
なお、本例では２つのつば部品７をそれぞれ切断して、左右の浴室ドア額縁２に各々取り付ける場合を説明したが、勿論、１つのつば部品７を２つに切断して、切断された両方を左右の浴室ドア額縁２に各々取り付ける構造とすることも可能である。
【図面の簡単な説明】
【００２６】
【図１】本発明の実施形態のリフォーム用浴室ドア額縁の施工状態を説明する平面断面図である。
【図２】同上のつば部品の切断、及び、額縁本体とつば部品との取り付け状態を説明する図である。
【図３】同上の新規のリフォーム用浴室ドア額縁と既存の浴室ドア開口縁との関係を説明する平面断面図である。
【図４】従来例の説明図である。
【符号の説明】
【００２７】
１  浴室ドア
２  浴室ドア額縁
３  ドア本体
４  浴室壁（一方の開口縁）
５  躯体壁（他方の開口縁）
６  額縁本体
７  つば部品
７ａ  嵌合部
７ｂ  当接部
８  嵌合溝部
Ａ  浴室ドア開口
Ｂ  幅方向
【図１】
2010077673.tif 000003
【図２】
2010077673.tif 000004
【図３】
2010077673.tif 000005
【図４】
2010077673.tif 000006